(57)【要約】【課題】  光源と角度調整機構を一体化することにより部品点数を低減できるようにしたホログラム記録媒体用のピックアップを提供する。【解決手段】  角度調整機構５２ａ，５２ｂに所定の電圧を印加すると前記角度調整機構５２ａ，５２ｂを構成する圧電素子がそれぞれに歪み変形を生じるため、可動台５３の姿勢が前記角度調整機構５２ａを支点として図示α１方向に倒される。このとき参照光Ｂｒの光軸Ｏ−Ｏの傾斜角度を変更することができる。この結果、前記参照光Ｂｒ１は変更後の傾斜角度に対応するページを形成するデータ（干渉縞）で回折するようになり、このときの記録媒体１から出力される回折光を撮像手段５７で取得することで再生が行われる。光源５４と角度調整機構５２ａ，５２ｂとを一体的に設けることができるため、部品点数の削減と省スペース化を実現することが可能となる。【選択図】図３
2006301141.tif 000002
【特許請求の範囲】
【請求項１】
レーザ光を参照光として発する光源と、前記参照光を集束して記録媒体に向けて照射する集束レンズと、記録媒体から出力された回折光を取得する撮像手段と、少なくとも前記光源、集束レンズおよび撮像手段を搭載するとともに前記記録媒体に沿って移動自在に設けられた可動ベースと、を備えたホログラム記録媒体用のピックアップであって、
前記光源が、前記参照光の光軸と前記記録媒体の記録面との間に形成される傾斜角度を調整する角度調整機構を有することを特徴とするホログラム記録媒体用のピックアップ。
【請求項２】
前記光源を保持する可動台が設けられており、前記角度調整機構がこの可動体と前記可動ベースとの間に設けられていることを特徴とするホログラム記録媒体用のピックアップ。
【請求項３】
前記角度調整機構が圧電素子であることを特徴とする請求項１または２記載のホログラム記録媒体用のピックアップ。
【請求項４】
記録媒体の記録面を照光する参照光を発する光源、前記記録媒体から出力された回折光を取得する撮像手段および前記光源の傾き姿勢を所定の角度ごとに変更して前記記録媒体の記録面に対する前記参照光の傾斜角度を調整する角度調整機構を備えた可動ベースと、前記可動ベースを移動させる移動手段とを有するホログラム記録媒体の再生方法であって、
前記記録媒体には、多数の記録位置を有するとともに各記録位置には前記参照光の傾斜角度又は波長に対応するページごとにデータが多重に記録されており、
各記録位置の第１ページに記録されたデータを再生するときには前記傾斜角度が第１の傾斜角度に設定された状態で前記可動ベースが移動させられ、各記録位置の第２データに記録されたデータを再生するときには前記傾斜角度が前記第１の傾斜角度とは異なる第２の傾斜角度に設定された状態で前記可動ベースが移動させられることを特徴とするホログラム記録媒体の再生方法。
【請求項５】
前記記録媒体の記録面を照光する前記参照光の先端が、所定の記録位置からずれているときに、前記先端が前記所定の記録位置に一致するように前記可動ベースが移動させられることを特徴とする請求項４記載のホログラム記録媒体の再生方法。
【請求項６】
前記可動ベースの移動方向は、前記傾斜角度の変化に応じて移動する前記参照光の光軸の移動方向と同じ方向であることを特徴とする請求項４または５記載のホログラム記録媒体の再生方法。
【発明の詳細な説明】
【技術分野】
【０００１】
本発明は、ホログラムを用いて角度多重記録または波長多重記録された記録媒体のホログラム記録媒体用のピックアップに係わり、特に光源と角度調整機構を一体化することにより部品点数を少なくできるようにしたホログラム記録媒体用のピックアップおよびホログラム記録媒体の再生方法に関する。
【背景技術】
【０００２】
参照光と空間変調された物体光とをホログラム記録媒体に照射し、これら参照光及び物体光の干渉縞を該ホログラム記録媒体に記録するホログラム記録再生装置が開発されている。再生時においては、干渉縞が記録されたホログラム記録媒体に記録時と同様の参照光を照射することにより、記録時における物体光を再現することができる。
【０００３】
ブラッグ回折を利用した体積型ホログラムの再生時においては、参照光の照射角度が記録時の参照光の角度からずれると、位相不整合が生じ、回折効率が低下する。このずれが大きくなると、ホログラムの回折効率は急速に低下し、再生が不可能になる。
【０００４】
ホログラムの角度多重記録は、このような角度選択性を利用したものであり、異なる入射角度の参照光を用いてホログラムを記録すれば、それぞれのホログラムは記録時と同じ入射角の参照光によってのみ再生される。
【０００５】
また、位相不整合は、角度のみならず波長の変化に対しても同様に生じるため、異なる波長の参照光を用いてホログラムを記録（波長多重記録）すれば、それぞれのホログラムは記録時と同じ波長の参照光によってのみ再生することが可能である。
【０００６】
上記のようなホログラム記録媒体及びその再生装置に関する先行技術文献としては、例えば以下の特許文献１などが存在する。
【特許文献１】特開平９−１０１７３５号公報の図７等
【発明の開示】
【発明が解決しようとする課題】
【０００７】
特許文献１に記載されたホログラム再生装置では、記録媒体への入射角度の調整をガルバノミラー（角度調整機構）で行う構成であるが、発光手段を構成する面発光レーザ（VCSEL；Vertical CavitySurface-Emitting Laser）（光源）とガルバノミラーとを別部材で形成する必要があるため、発光手段自体の部品点数を削減しにくいという問題がある。
【０００８】
一方、波長多重記録方式の場合には、再生時にも波長を変化させればよいため、理論的にはガルバノミラーを不用とすることが可能である。
【０００９】
しかし、光源（面発光型レーザ）は放熱機能を備えたベース基板にメタルボンドなどの接着剤を用いて組み付けるのが一般的であるところ、前記メタルボンドの膜厚寸法が均一となるように管理すること、すなわち前記光源をベース基板に対し高精度に固定することが困難である。
【００１０】
このため光源は、前記ベース基板に対して様々な角度を有して固定されてしまうため、前記光源から発されたレーザ光が角度ずれを起し、前記干渉縞の全体を照光することができず、干渉縞の一部が欠けたような状態で照光されてしまうため、結果としてホログラムの回折効率が低下して不完全な再生になりやすいという問題がある。
【００１１】
この点、角度多重記録方式同様に面発光型レーザと記録媒体との間にガルバノミラーを設けて角度を調整するようにすれば、干渉縞の全体を照光することが可能となり、前記回折効率の低下を防止することが可能となるが、上記角度多重の場合同様のガルバノミラーを単独で設けたのでは、部品点数が増大するとともに、せっかく波長多重としたことの意味が薄れてしまうという問題がある。
【００１２】
本発明は上記従来の課題を解決するためのものであり、光源と角度調整機構を一体化することにより部品点数を少なくできるようにしたホログラム記録媒体用のピックアップを提供することを目的としている。
【００１３】
また本発明は参照光の先端が記録媒体上の記録位置からずれるような場合であっても確実に再生できるようにしたホログラム記録媒体用のピックアップおよびホログラム記録媒体の再生方法を提供することを目的としている。
【課題を解決するための手段】
【００１４】
本発明は、記録媒体の記録面を照光する参照光を発する光源、前記記録媒体から出力された回折光を取得する撮像手段および前記光源の傾き姿勢を所定の角度ごとに変更して前記記録媒体の記録面に対する前記参照光の傾斜角度を調整する角度調整機構を備えた可動ベースと、前記可動ベースを移動させる移動手段とを有するホログラム記録媒体の再生方法であって、
前記記録媒体には、多数の記録位置を有するとともに各記録位置には前記参照光の傾斜角度又は波長に対応するページごとにデータが多重に記録されており、
各記録位置の第１ページに記録されたデータを再生するときには前記傾斜角度が第１の傾斜角度に設定された状態で前記可動ベースが移動させられ、各記録位置の第２データに記録されたデータを再生するときには前記傾斜角度が前記第１の傾斜角度とは異なる第２の傾斜角度に設定された状態で前記可動ベースが移動させられることを特徴とするものである。
【００１５】
上記において、前記光源を保持する可動台が設けられており、前記角度調整機構がこの可動体と前記可動ベースとの間に設けられているものが好ましい。
【００１６】
また前記角度調整機構が圧電素子であることが好ましい。
上記手段では角度調整機構を容易に構成することができる。
【００１７】
また本発明は、記録媒体の記録面を照光する参照光を発する光源、前記記録媒体から出力された回折光を取得する撮像手段および前記光源の傾き姿勢を所定の角度ごとに変更して前記記録媒体の記録面に対する前記参照光の傾斜角度を調整する角度調整機構を備えた可動ベースと、前記可動ベースを移動させる移動手段とを有するホログラム記録媒体の再生方法であって、
前記記録媒体には、多数の記録位置を有するとともに各記録位置には前記参照光の角度ごと又は波長ごとに干渉縞が多重に記録されており、
第１の干渉縞を再生するときには前記傾斜角度が第１の傾斜角度に設定された状態で前記可動ベースが移動させられ、第２の干渉縞を再生するときには前記傾斜角度が前記第１の傾斜角度とは異なる第２の傾斜角度に設定された状態で前記可動ベースが移動させられることを特徴とするものである。
【００１８】
上記においては、前記記録媒体の記録面を照光する前記参照光の先端が、所定の記録位置からずれているときに、前記先端が前記所定の記録位置に一致するように前記可動ベースが移動させられることが好ましい。
【００１９】
さらには、前記可動ベースの移動方向は、前記傾斜角度の変化に応じて移動する前記参照光の光軸の移動方向と同じ方向であることが好ましい。
【００２０】
上記手段では、前記参照光の先端のずれ方向と可動ベースの移動方向とが同じであるため、確実に再生することが可能となる。
【発明の効果】
【００２１】
本発明のホログラム記録媒体用のピックアップでは、傾斜角度を調整する角度調整機構と光源とを一体的に設けることが可能となるため、部品点数を削減することができるとともに省スペース化を実現できる。よって、ホログラム記録媒体用のピックアップを小型化することができる。
【００２２】
またホログラム記録媒体の再生方法では、たとえば前記参照光の先端が目的とするアドレスに対応する記録位置からずれるようなことがあっても、前記可動ベースの移動量を調整することにより、前記参照光の先端を前記目的とするアドレスに対応する記録位置に位置合わせすることができるため、可動ベースに対して光源をラフに取り付けた場合でも再生することが可能となる。
【発明を実施するための最良の形態】
【００２３】
図１は本発明の実施の形態としてのホログラム再生装置を示す断面図、図２は図１の一部を拡大して示す部分断面図である。
【００２４】
図１に示すホログラム再生装置Ａは、記録媒体１に記録されたホログラム情報を読み出すためのものであり、例えばコンピュータ、あるいは映像再生装置などの電子機器に搭載されるものである。
【００２５】
図１に示すように、ホログラム再生装置Ａは、記録媒体１を保持する保持手段１０と前記保持手段１０の上方に設けられた再生機構手段（ピックアップ）２０とを有している。
【００２６】
この実施の形態に示す記録媒体１は反射型の記録媒体である。図１又は図２に示すように、前記記録媒体１はカード状またはチップ状であり、記録面側（Ｚ１側）に設けられた光透過性を備えた第１の平板１ａと、裏面（Ｚ２側）に設けられた第２の平板１ｂとを有している。前記第１の平板１ａと第２の平板１ｂとの間には隙間１ｃが形成されており、この隙間１ｃには光記録材料２が充填されている。前記記録媒体１の両端には、前記光記録材料２の漏れを防止する封止部材１ｄ，１ｄが設けられている。
【００２７】
このような記録媒体１では光源からのレーザ光を、参照光として照射するとともに空間変調器を介した物体光として照射すると、これらの干渉縞を前記光記録材料２に記録することが可能である。このとき、レーザ光の波長または参照光の角度を変えることにより、同じ記録位置に３次元的に多重に記録することが可能であり、前記記録媒体１上の各記録位置３にはこのよう干渉縞が多重に記録されている。
【００２８】
なお、前記光記録材料２としては例えばフォトポリマーや塩化銀系の公知の材料などを用いることができ、このような光記録材料２は例えば特開平１１−５２８２４号公報などに記載されている。
【００２９】
なお、このような記録媒体１は、ディスク状、カード状、あるいはチップ状など様々な形状とすることが可能であるが、数センチ角のチップ状の場合でも１ＴＢ（テラバイト）以上と極めて大容量である。よって、カード化又はチップ化すると携行容易な記録媒体（リムーバブル記録媒体）として非常に便利である。
【００３０】
前記記録媒体１は、図示しない筐体に設けられた挿入口（図示せず）から挿入され、電子機器内に設けられた保持手段１０に保持されている。前記保持手段１０はＸ方向の両側に設けられた保持部１３，１３と付勢部材１４，１４を有している。前記記録媒体１は前記付勢部材１４，１４に付勢されており、その両端部が保持部１３，１３に当接させられている。すなわち、前記記録媒体１は前記付勢部材１４，１４と保持部１３，１３との間に挟み込まれた状態で弾性的に保持されている。一方の保持部１３と他方の保持部１３との間には開口部１０Ａが設けられており、前記記録媒体１の記録面が前記開口部１０Ａを通じて図示Ｚ１方向に露出されている。
【００３１】
前記再生機構手段（ピックアップ）２０は断面コの字状に形成されたホルダ３０と、このホルダ３０の内部に設けられた可動ベース４０とを有している。前記ホルダ３０の図示Ｘ方向の両端には脚部３０Ａ，３０Ｂが設けられており、前記脚部３０Ａ，３０Ｂには図示Ｙ方向に貫通する貫通孔３０ａ，３０ｂが互いに平行な状態で形成されている。
【００３２】
一方の貫通孔３０ａの内壁には雌ねじが螺刻されており、この貫通孔３０ａには外周面に雄ねじが螺刻されたスクリュー軸３１が挿通されている。また他方の貫通孔３０ｂにはガイド軸３２が挿通されている。前記スクリュー軸３１とガイド軸３２とは互いに平行且つ水平な状態となるように、これらの両端部が図示しない支持部材間に架設されている。一方の前記スクリュー軸３１は前記支持部材に対し回転自在に支持されている。また前記支持部材上には図示しない駆動モータ、減速歯車機構などが設けられており、前記スクリュー軸３１と前記駆動モータのモータ出力軸とが前記減速歯車機構を介して連結されている。このため、前記駆動モータが回転すると、その駆動力が前記モータ出力軸、減速歯車機構、スクリュー軸３１およびホルダ３０の貫通孔３０ａの雌ねじに伝達されるため、前記モータ出力軸の回転方向に応じて前記ホルダ３０を図示Ｙ方向（紙面と直交する方向）に進退自在にネジ送りすることが可能とされている。すなわち、前記一対のスクリュー軸３１とガイド軸３２、駆動モータ、モータ出力軸および減速歯車機構などは、前記ホルダ３０をＹ軸方向にネジ送りする第１の移動手段を構成している。
【００３３】
一方、前記ホルダ３０の一方の脚部３０Ａと他方の脚部３０Ｂとの間には、図示Ｘ方向に延びる一対のスクリュー軸４１とガイド軸４２とが図示Ｙ方向に所定の間隔を置いて互いに平行且つ水平な状態で架設されている。前記スクリュー軸４１とガイド軸４２は前記可動ベース４０に設けられた図示しない貫通孔にそれぞれ挿入されている。また前記ホルダ３０内には第２の移動手段を構成する図示しない駆動モータ、減速歯車機構などが搭載されており、前記スクリュー軸４１に駆動力を与えることにより、前記可動ベース４０を駆動モータの回転方向に応じて図示Ｘ軸方向にネジ送りできるようになっている。
【００３４】
すなわち、前記第１の移動手段は前記可動ベース４０を搭載したホルダ３０をＹ方向に移動させ、第２の移動手段は前記可動ベース４０のみをＸ方向に移動させることが可能であり、したがって前記第１の移動手段と第２の移動手段とは前記可動ベース４０を水平方向（ＸおよびＹ方向）に移動させる移動手段として機能している。
【００３５】
図１に示すように、前記可動ベース４０は略箱型形状からなるケース４０Ａを有しており、このケース４０Ａ内には再生手段５０が設けられている。
【００３６】
図１ないし図３に示すように、前記再生手段５０は基準となるベース部材５１を有している。前記ベース部材５１はケース４０Ａと別体でもよいし、ケース４０Ａの天井面が前記ベース部材５１を兼ねるものであってもよい。
【００３７】
前記ベース部材５１の下面には、再生光の光軸傾斜角度を調整する角度調整機構５２（個別に５２ａ，５２ｂで示す）と、撮像手段５７とが固定されている。前記角度調整機構５２ａ，５２ｂは、例えば圧電素子で形成されており、電圧の印加方向に応じて歪み変形することが可能とされている。また前記撮像手段５７は、前記記録媒体１で回折された再生光の情報を読み取って電気信号に変換させる素子、例えばＣＣＤまたはＣＭＯＳイメージセンサなどである。
【００３８】
前記角度調整機構５２ａ，５２ｂの下端には、略台形状をした可動台５３が固定されている。前記可動台５３は斜面５３ａとこの斜面５３ａに対し垂直に貫通する開口穴５３ｂが形成されている。そして、この前記開口穴５３ｂには、面発光レーザ（VCSEL）からなる光源５４が設けられている。したがって、前記光源５４から発せられたレーザ光（参照光）の光軸Ｏ−Ｏは前記斜面５３ａに対し垂直であり、且つ前記記録媒体１の記録面に対しては入射角（９０°−θ）を有して照光するように設定されている。前記光源５４の周囲には筒状のレンズホルダ５６が固定されており、このレンズホルダ５６内には前記レーザ光を前記記録媒体１上の一定の地点へ送る集束レンズ５５が保持されている。前記光源５４および集束レンズ５５は、前記レーザ光を参照光Ｂｒとして前記記録媒体１に向けて照射する発光手段を構成している。
【００３９】
なお、図２に破線で示すように撮像手段５７も、所定の傾斜面５８ａを有する台座５８の前記傾斜面５８ａに固定された構成であってもよい。本構成では、撮像手段５７の表面と前記回折光の光軸とが直交しやすくなるため、より鮮明な画像として回折光を取得することが可能となり、再生時のエラー信号の発生を少なくすることができる。
【００４０】
またホログラム再生装置Ａは、前記第１及び第２の移動手段、発光手段、角度調整機構５２および撮像手段５７などの動作を制御するための制御手段（図示せず）が設けられている。
【００４１】
上記ホログラム再生装置の再生動作について説明する。
（基本的な再生動作）
前記記録媒体１が保持手段１０に保持されると、前記制御手段は前記第１の移動手段および第２の移動手段を構成するそれぞれの駆動モータを始動させることにより、前記ホルダ３０および可動ベース４０を移動させる。このとき、前記可動ベース４０は、内部に搭載された前記発光手段から発せられる参照光Ｂｒが前記記録媒体１上の初期の記録位置（初期アドレス）に来るように移動させられる。あるいは、操作者等により再生開始位置が指定される場合には、前記制御手段はこれに対応する前記記録媒体１上のアドレスに移動させる。
【００４２】
また制御手段は光源５４に所定の電圧を与えて、前記光源５４からレーザ光を出力させる。このとき、レーザ光は参照光として前記初期アドレス上の初期の記録位置を照光する。次に、前記制御手段は前記角度調整機構５２ａ，５２ｂの一方または双方のそれぞれに所定の電圧を印加することにより、前記角度調整機構５２ａ，５２ｂを構成する圧電素子に歪み変形を生じさせる。例えば図３に破線で示すものでは、一方の角度調整機構５２ａには電圧を印加せず、他方の角度調整機構５２ｂにのみ電圧を与えることにより、前記他方の角度調整機構５２ｂのみを図示Ｚ方向で且つ収縮する方向に変形させている。この結果、前記可動台５３の姿勢を図示α１方向に倒すことができる。このため、前記光源５４の傾き姿勢が変化させられ、前記参照光Ｂｒの光軸Ｏ−Ｏ（初期状態の傾斜角度＝θ）を図示破線で示す傾斜角度θ１の光軸Ｏ１−Ｏ１からなる参照光Ｂｒ１に移行させることができる。
【００４３】
この結果、前記参照光Ｂｒ１は、前記初期の記録位置に各ページごとに多重記録されている複数のデータのうち、例えば最初のページに記録されているデータ（インデックスデータなど）を形成する干渉縞で回折するようになり、このときの回折光が前記記録媒体１から撮像手段５７に向けて射出されるようになる。
【００４４】
よって、前記制御手段は、前記撮像手段５７が前記回折光を変換した電気信号から前記最初のページに記録されているデータを再生することができる。なお、このデータの内容は例えばコンピュータ内のメモリやハードディスクに再記録されたり、ディスプレイ上に表示されたりする。
【００４５】
（連続的な再生動作）
次に、前記制御手段は以下に示す再生方法により、記録媒体１上の複数の記録位置に複数のページの亘って記録されている所定のデータ（読み出したいデータ）を連続的に再生する。
【００４６】
まず、制御手段は前記光源５４の光軸Ｏ−Ｏを任意の傾斜角度（例えば、初期の傾斜角度＝θ）に固定した状態において、前記第１の移動手段および／または第２の移動手段を駆動し、前記可動ベース４０をＸ方向および／またはＹ方向に移動させる。このとき、前記可動ベース４０に搭載されている再生手段から発せられた参照光Ｂｒが、前記可動ベースの移動方向に沿って各記録位置を順番に照光することができる。このため、各記録位置の任意の傾斜角度に対応するページに記録されているデータ（干渉縞）のみを順番に再生することができる。
【００４７】
例えば図１において、第１の傾斜角度に設定された状態で可動ベースがＸ１方向に移動している場合には、記録位置３ａの第１ページ→記録位置３ｂの第１ページ→記録位置３ｃの第１ページ→・・・の順番で第１ページに記録されているデータ（干渉縞）のみを再生することができる。
【００４８】
第１ページの再生が終了すると、前記制御手段は前記角度調整機構５２ａ，５２ｂに与える電圧の組み合わせを変更し、前記参照光Ｂｒが各記録位置を照光したときに、第２ページを形成するデータ（干渉縞）によって回折が生じる第２の傾斜角度に変更する。そして、この状態で上記同様に可動ベース４０を記録位置３ａ→記録位置３ｂ→記録位置３ｃの→・・・の順にＸ１方向に移動させることにより、各記録位置に記録されている第２ページのデータのみを順番に連続的に再生することが可能となる。
【００４９】
以下同様に各ページに対応する傾斜角度に設定した状態で前記可動ベース４０を記録位置３ａ→記録位置３ｂ→記録位置３ｃの→・・・の順でＸ１方向に移動させることにより、各記録位置の各ページにそれぞれ記録されているデータを順番に連続的に再生することができる。
【００５０】
なお、前記光源５４の光軸Ｏ−Ｏをある傾斜角度に固定した状態で、前記可動ベース４０を紙面と直交するＹ方向に移動させることによっても、各記録位置の各ページにそれぞれ記録されているデータを順番に連続的に再生することが可能である。
【００５１】
ただし、前記傾斜角度θの変化に応じて前記参照光Ｂｒの光軸Ｏ−Ｏが移動する方向と、可動ベース４０の移動方向の双方を図示Ｘ方向とする再生方法の場合には、前記光源５４の傾き角度をＸ方向に振って前記参照光Ｂｒの傾斜角度θを所定の角度に設定したときに、たとえば前記参照光Ｂｒの先端（スポット）が目的とするアドレスに対応する記録位置からずれるようなことがあっても、前記可動ベース４０の移動量を調整することにより、前記参照光Ｂｒの先端を前記目的とするアドレスに対応する記録位置に位置合わせすることが容易にできる。
【００５２】
この場合の角度調整機構としては、上記のように光源５４自体の傾斜角度を調整する角度調整機構５２であってもよいし、あるいは前記角度調整機構５２の代わりに従来のガルバノミラーを用いる構成であってもよい。ただし、上記構成の方が、角度調整機構と前記光源５４とを一体的に構成することができるため、部分点数の低減および省スペースによる小型化という点で有利である。
【００５３】
ところで、記録媒体１に多重に記録されたデータの再生は、ブラック回折条件式（２ｄｓｉｎθ＝ｎλ、ｄは格子間距離、θは傾斜角度、λは波長）を満たしさえすれば、傾斜角度θを変更する方法（角度変調方式）だけではく波長λを変更する方向（波長変調方式）によっても可能である。そして、この場合は前記角度調整機構５２の代わりに波長を選択的に出力することが可能な光源５４が用いられる。
【００５４】
ただし、小型の光源５４では選択可能な波長帯域が狭く、しかも前記ベース部材５１に固定された光源５４の取り付け精度が低いと前記光源５４から発されたレーザ光が角度ずれを起しやすいため、レーザ光（参照光）が各記録位置に記録された干渉縞の全体を照光することができず、結果としてホログラムの回折効率が低下して不完全な再生となる場合がある。
【００５５】
そこで、波長変調方式においても、上記角度変調方式の場合同様に角度調整機構を用いて可動台５３の姿勢、つまりは前記光源５４の傾き姿勢を変更して参照光Ｂｒの傾斜角度θを調整できるようにすると、波長を変えただけでは不完全な再生となる場合にも前記角度調整機構を補助的に駆動することにより、参照光Ｂｒが各記録位置に記録された干渉縞の全体を照光することが可能となるため、完全なホログラム再生を行うことができるようになる。すなわち、波長変調方式の再生装置においても、上記同様の角度調整機構を補助的に使用できるようにする構成が好ましい。
【００５６】
なお、このような角度調整機構は上記同様に可動台の姿勢を調整する角度調整機構５２であってもよいし、従来のガルバノミラーとすることもできる。そして、このような角度調整機構を有する波長変調方式のホログラム再生装置においては、上記同様に角度調整機構の駆動に合わせて可動ベース４０を移動させる再生方法を用いることが可能である。
【図面の簡単な説明】
【００５７】
【図１】本発明の実施の形態としてのホログラム再生装置を示す断面図、
【図２】図１の一部を拡大して示す部分断面図、
【図３】角度調整機構の動作を示す図２同様の部分断面図、
【符号の説明】
【００５８】
１  記録媒体
１０  保持手段
２０  再生機構手段（ピックアップ）
３０  ホルダ
４０  可動ベース
５０  再生手段
５１  ベース部材
５２，５２ａ，５２ｂ  角度調整機構（圧電素子）
５３  可動台
５４  光源（面発光レーザ（VCSEL））
５５  集束レンズ
５６  レンズホルダ
５７  撮像手段
【図１】
2006301141.tif 000003
【図２】
2006301141.tif 000004
【図３】
2006301141.tif 000005
【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
レーザ光を参照光として発する光源と、前記参照光を集束して記録媒体に向けて照射する集束レンズと、記録媒体から出力された回折光を取得する撮像手段と、少なくとも前記光源、集束レンズおよび撮像手段を搭載するとともに前記記録媒体に沿って移動自在に設けられた可動ベースと、前記参照光の光軸と前記記録媒体の記録面との間に形成される傾斜角度を調整する角度調整機構と、が設けられていることを特徴とするホログラム記録媒体用のピックアップ。
【請求項２】
前記光源を保持する可動台が設けられており、前記角度調整機構がこの可動体と前記可動ベースとの間に設けられていることを特徴とする請求項１記載のホログラム記録媒体用のピックアップ。
【請求項３】
前記角度調整機構が圧電素子であることを特徴とする請求項１または２記載のホログラム記録媒体用のピックアップ。
【請求項４】
記録媒体の記録面を照光する参照光を発する光源、前記記録媒体から出力された回折光を取得する撮像手段および前記光源の傾き姿勢を所定の角度ごとに変更して前記記録媒体の記録面に対する前記参照光の傾斜角度を調整する角度調整機構を備えた可動ベースと、前記可動ベースを移動させる移動手段と、多数の記録位置を有するとともに各記録位置には前記参照光の傾斜角度又は波長に対応するページごとにデータが多重に記録された記録媒体に対し、各記録位置の所定のページに記録されたデータを再生するときには前記参照光の傾斜角度を前記所定のページに対応する角度に設定するとともに前記移動手段を用いて前記可動ベースを移動させる制御部と、が設けられていることを特徴とするホログラム記録媒体の再生装置。
【請求項５】
前記記録媒体の記録面を照光する前記参照光の先端が、所定の記録位置からずれているときに、前記先端が前記所定の記録位置に一致するように前記可動ベースが移動させられることを特徴とする請求項４記載のホログラム記録媒体の再生装置。
【請求項６】
前記可動ベースの移動方向は、前記傾斜角度の変化に応じて移動する前記参照光の光軸の移動方向と同じ方向であることを特徴とする請求項４または５記載のホログラム記録媒体の再生装置。
【手続補正３】
【補正対象書類名】明細書
【補正対象項目名】０００８
【補正方法】変更
【補正の内容】
【０００８】
一方、波長多重記録方式の場合には、再生時に波長を変化させればよいため、理論的にはガルバノミラーを不用とすることが可能である。
【手続補正４】
【補正対象書類名】明細書
【補正対象項目名】００１４
【補正方法】変更
【補正の内容】
【００１４】
本発明は、レーザ光を参照光として発する光源と、前記参照光を集束して記録媒体に向けて照射する集束レンズと、記録媒体から出力された回折光を取得する撮像手段と、少なくとも前記光源、集束レンズおよび撮像手段を搭載するとともに前記記録媒体に沿って移動自在に設けられた可動ベースと、前記参照光の光軸と前記記録媒体の記録面との間に形成される傾斜角度を調整する角度調整機構と、が設けられていることを特徴とするものである。
【手続補正５】
【補正対象書類名】明細書
【補正対象項目名】００１７
【補正方法】変更
【補正の内容】
【００１７】
また本発明は、記録媒体の記録面を照光する参照光を発する光源、前記記録媒体から出力された回折光を取得する撮像手段および前記光源の傾き姿勢を所定の角度ごとに変更して前記記録媒体の記録面に対する前記参照光の傾斜角度を調整する角度調整機構を備えた可動ベースと、前記可動ベースを移動させる移動手段と、多数の記録位置を有するとともに各記録位置には前記参照光の傾斜角度又は波長に対応するページごとにデータが多重に記録された記録媒体に対し、各記録位置の所定のページに記録されたデータを再生するときには前記参照光の傾斜角度を前記所定のページに対応する角度に設定するとともに前記移動手段を用いて前記可動ベースを移動させる制御部と、が設けられていることを特徴とするものである。
【手続補正６】
【補正対象書類名】明細書
【補正対象項目名】００４０
【補正方法】変更
【補正の内容】
【００４０】
またホログラム再生装置Ａは、前記第１及び第２の移動手段、発光手段、角度調整機構５２および撮像手段５７などの動作を制御するための制御手段（制御部）（図示せず）が設けられている。
【手続補正７】
【補正対象書類名】明細書
【補正対象項目名】００５３
【補正方法】変更
【補正の内容】
【００５３】
ところで、記録媒体１に多重に記録されたデータの再生は、ブラック回折条件式（２ｄｓｉｎθ＝ｎλ、ｄは格子間距離、θは傾斜角度、λは波長）を満たしさえすれば、傾斜角度θを変更する方法（角度変調方式）だけではなく波長λを変更する方向（波長変調方式）によっても可能である。そして、この場合は前記角度調整機構５２の代わりに波長を選択的に出力することが可能な光源５４が用いられる。
【手続補正８】
【補正対象書類名】図面
【補正対象項目名】図２
【補正方法】変更
【補正の内容】
【図２】
2006301141.tif 000006